(57)【要約】【課題】日よけの程度を調節できる電動日よけを提供する。【解決手段】モーター組に段進モーター組４０を設置し、この段進モーター組４０は段進モーター４１とコントローラー４２で構成され、段進モーター４１は複数の日よけ小片組２０のある特定の日よけ小片組２０と固く連結して、この特定の日よけ小片組２０をある角度に揺動させるようにする。また、コントローラー４２は段進モーター４１を直接連結して、赤外線とパルスとを利用して段進モーター４１の回転する色々な角度を操作し、雨で日よけ小片組２０が外力で動かなくなった時には段進モーター４１は空回りするようになる。それにより、電動日よけはその日よけ小片組２０が開閉の間に数種の角度に揺動されて、日よけの程度を調節できる。【選択図】図２
0003120514.tif 000002
【実用新案登録請求の範囲】
【請求項１】
両側の垂直柱に相対する等間隔の複数のさしこみ溝を有し、その垂直柱の特定の前記さしこみ溝の後に空室を有する枠と、
各日よけ小片の両末端に外に伸びるさしこみピンが付設され、そのさしこみピンで前記枠の前記さしこみ溝とはまり合い、前記枠と枢軸的に組み付けられる複数の日よけ小片組と、
前記各日よけ小片の側面のやや中央部に垂直に固く連接し、上下移動により日よけ小片を全部同時に所定角度に揺動させる連結棒と、
コントローラー及び段進モーターで構成され、前記段進モーターは前記枠の前記垂直柱の前記空室に設置され、前記段進モーターは前記垂直柱の前記特定のさしこみ溝にはまる前記さしこみピンの前記日よけ小片と固く連結され、前記日よけ小片の前記日よけ小片組は前記段進モーターの回転で揺動し、前記コントローラーは前記段進モーターにインプットされるパルスをコントロールする段進モーター組と、
を備えることを特徴とする電動日よけ。
【請求項２】
前記複数の日よけ小片組は少なくとも前記特定の日よけ小片の少なくとも末端に末端蓋が被せられ、前記日よけ小片は所定の形状を有し、前記末端蓋は前記日よけ小片の末端と相応する空室を有し、前記空室が前記日よけ小片の末端外周囲とはまり合い、前記末端蓋は外に向けて伸びるさしこみピンを有することを特徴とする請求項１記載の電動日よけ。
【請求項３】
前記段進モーター組の前記コントローラーは直接前記段進モーターに連結されることを特徴とする請求項１記載の電動日よけ。
【請求項４】
前記段進モーター組の前記コントローラーは赤外線で前記段進モーターを操作することを特徴とする請求項１記載の電動日よけ。
【請求項５】
前記段進モーター組の前記コントローラーはパルスで前記段進モーターの回転動作を操作し、前記段進モーターの回転角度は前記コントローラーの発生するパルス数と固定比例をなすことを特徴とする請求項１記載の電動日よけ。
【請求項６】
前記段進モーターは連結片で前記特定の日よけ小片と固接され、前記連結片は左右両側に各々定位孔とはまり孔を有し、前記段進モーターのシャフトは平定部を有し、前記シャフトは前記連結片の前記定位孔にはまり、前記特定の日よけ小片の前記さしこみピンは前記連結片の前記はまり孔に固くはまることを特徴とする請求項１記載の電動日よけ。
【請求項７】
前記段進モーターは前記特定の日よけ小片との間に歯車組が枢軸的に連接し、前記段進モーターは前記歯車組の入力端と連接し、前記歯車組の出力端は前記特定の日よけ小片組の前記さしこみピンと連接していることを特徴とする請求項１記載の電動日よけ。
【請求項８】
前記段進モーターと前記特定の日よけ小片組との間に所定位置に設定スイッチが連接し、前記設定スイッチは少なくとも凸出環と少なくとも電気スイッチとで構成され、前記凸出環は前記特定の日よけ小片組の揺動に相応する位置シグナルを前記電気スイッチに送り、前記電気スイッチは前記位置シグナルと相応するシグナルを前記コントローラーに送り、前記コントローラーは新しく前記特定の日よけ小片の位置を設定することを特徴とする請求項１記載の電動日よけ。
【考案の詳細な説明】
【技術分野】
【０００１】
本考案は電動日よけに関する。
【背景技術】
【０００２】
図１に示す従来の電動日よけは枠１と、この枠１の中に枢軸的に設置される日よけ小片組２と、日よけ小片の上に垂直に連結される連結棒３と、枠１の一側直立柱の内部に設置されるモーター組４とで構成される。それでモーターが予定の日よけ小片を揺動させたら連結棒３の作用により全日よけ小片組２が揺動して、日よけが開けられたり、閉じられたりする。
【考案の開示】
【考案が解決しようとする課題】
【０００３】
しかし、モーター組４が回転する時にその角度を調節することができず、ただ開けた位置と閉じた位置の二種の角度だけしかない。更にモーター組４が回転中に、もしも日よけ小片２が外力を受けて移動できない場合には、モーター組４のコイルの負荷が容易に過大になり続けてしまう欠点がある。それで本考案はこの欠点を改善することをその課題とする。
【課題を解決するための手段】
【０００４】
本考案では、上述の従来の電動日よけの欠点を改善するためにモーター組に段進モーター組を設置し、この段進モーター組は段進モーターとコントローラーで構成され、段進モーターは複数の日よけ小片組のある特定の日よけ小片組と固く連結して、この特定の日よけ小片組をある角度に揺動させるようにする。また、コントローラーは段進モーターを直接連結して、赤外線とパルスとを利用して段進モーターの回転する色々な角度を操作し、雨で日よけ小片組が外力で動かなくなった時には段進モーターは空回りするようになる。それにより、本考案の電動日よけはその日よけ小片組が開閉の間に数種の角度に揺動されて、日よけの程度を調節できる。
【０００５】
（考案の効果）
１．本考案の電動日よけはその段進モーターが運転中でも手動で日よけ小片組を揺動させることができ、その時段進モーターはただ空回りするだけで、日よけ小片組に対する影響はなく、必要な角度に揺動させることができ、段進モーターも損害を受けないのでその使用寿命が長くなる。
【０００６】
２．段進モーターにインプットされる操作シグナルはパルスで、日よけ小片組が揺動する角度とパルス数とは一定の比例に設定してあるから、日よけ小片組の角度は、インプットされるパルス数で正確に計算できる。それで段進モーターはコントローラーの命令によりある予定の角度に回転し、従って日よけ小片組も正確な角度に揺動され、この電動日よけは実用性と正確性が高い。
【考案を実施するための最良の形態】
【０００７】
本考案の一実施例による電動日よけは図２と図３とに示すように、枠１０と複数の日よけ小片組２０と連結棒３０とモーター組４０とで構成される。
枠１０にはその両側の垂直柱に相対して等間隔の複数のはめ溝１１が設けてあり、これらのはめ溝１１の特定の一個の後に空室１２が設けてある。
各日よけ小片組２０は図４に示すように日よけ小片２１とこの日よけ小片２１とこの日よけ小片の両側に付けられる末端蓋２２とで構成される。日よけ小片２１はある予定の形状にして、各末端蓋２２はその内側に日よけ小片の末端を入れこむ空室２２１の両側に固くはめ付けられる。更に末端蓋２２の外表面にピン２２２を付設して、それで枠１０の各はめ溝１１にはめこみ、各日よけ小片組２０は枠１０と枢軸的に組み付けられる。
【０００８】
連結棒３０は各日よけ小片２１の側面のほぼ中央部に直立して固く連結され、全部の日よけ小片組２０を同時に連動させることができ、それで枠１０に対して同歩の揺れ動きをする。
モーター組４０は図２と図５に示すように、段進モーター４１とコントローラー４２とで構成される。段進モーター４１は枠１０の空室１２の中に設置され、シャフト４１１を持ち、このシャフト４１１はその末端に平面の定位面４１２を持ち、連結片４３がこの定位面４１２を包囲して連結され、この連結片４３はその両側に軸方向に各々定位孔４３１とはめ付け孔４３２を持つ。それで段進モーター４１のシャフト４１１は連結片４３の定位孔４３１の中にはまって、特定の日よけ小片組２０がはめ付け孔４３２と固くはまり合って、段進モーター４１はその日よけ小片組２０を同歩に揺動させることができる。またその特定の日よけ小片組２０が揺動したら連結棒３０も同時に上下に動かされて、それで全部の日よけ小片組２０が同歩に同じ角度に揺動する。
【０００９】
コントローラー４２は本実施例の中では段進モーター４１の後側に連結され、赤外線で段進モーター４１を操作し、同時にパルスをインプットしてその回転角度を操作する。
本実施例の電動日よけを使用する時について、図３、図４と図５を参照して説明する。この電動日よけは手動で連結棒３０を上下に引っぱっても全日よけ小片組２０を必要な角度に揺動させることができる。また電動で全日よけ小片組を揺動させる時はモーター組４０のコントローラー４２が段進モーター４１にインプットされるパルスをコントロールしてシャフト４１１の回転角度を一定の比例にする。それでこの電動日よけはコントローラー４２が段進モーター４１にインプットされるパルス数をコントロールすれば、段進モーター４１の回転角度を調節できる。それゆえに段進モーター４１は日よけ小片組２０を必要な角度に揺動させることができる。もしも段進モーター４１が回転中に日よけ小片組２０が外力で止められて動かなくなった時は、段進モーター４１にインプットされるパルスは段進モーター４１にオーバーロードさせず空回りし、日よけ小片組２０は段進モーター４１の回転或いは不回転に関係なく揺動できる。
【００１０】
その外に説明すべき事として、日よけ小片組２０は０に帰る動作が可能で、それで手動でも又はコントローラー４２によっても、日よけ小片組２０をこの原点に揺動させることができる。即ち日よけ小片組２０を完全に揺動させれば、段進モーター４１は空回りする。それで段進モーター４１をある予定の一定時間運転させれば、日よけ小片組２０は完全に閉じられて、原点の位置に戻ることになる。その後にその原点から開くように揺動させれば、パルス数により正確に日よけ小片組２０を必要な角度に揺動させることができる。
【００１１】
次に図６に電動日よけの第二実施例を示す。本実施例では、第一実施例の段進モーター４１と連結片４３の間に若干の歯車組４３３を更に加設し、０に帰らす方法を提供する。更に予定位置に設定スイッチ４４を設置し、連結片４３に固くはまる凸出環４４１と電気スイッチ４４２とで構成する。歯車組４３３はベベルギア組でもよく、適当なサイズとトークを持たせる。凸出環４４１は日よけ小片２１、末端蓋２２又はさしこみピン２２２にはめ付けて、その日よけ小片２１が原点に到達した時は電気スイッチ４４２と接触し、それで電気スイッチ４４２は信号を発生して、コントローラー４２に送る。その外、凸出環４４１と電気スイッチ４４２の数量を増加し、感測位置の数量を増加させることもできる。例えば三組に増加した場合には二進位のコード（ｃｏｄｅ）で日よけ小片２１の揺動角度に八個の異なる位置が得られるから、それで更に正確に回転角度をコントロールできる。当然この感応シグナルには光感応式を接触式の代りに使用することもできるが、その技術はよく知られているので、その説明は省略する。
【図面の簡単な説明】
【００１２】
【図１】従来の電動日よけを示す斜視図である。
【図２】本考案の実施例による電動日よけを示す斜視図である。
【図３】本考案の実施例による電動日よけを部分的に分解した状態を示す斜視図である。
【図４】本考案の実施例による電動日よけの日よけ小片組を分解した状態を示す斜視図である。
【図５】本考案の実施例による電動日よけの段進モーターを示す斜視図である。
【図６】本考案の実施例による電動日よけの段進モーターと日よけ小片組の感測装置を示す側面図である。
【符号の説明】
【００１３】
１０  枠、１１  はめ溝、１２  空室、２０  日よけ小片組、２１  日よけ小片、２２  末端蓋、３０  連結棒、４０  段進モーター組、４１  段進モーター、４２  コントローラー、４３  連結片、４４  設定スイッチ、２２１  空室、２２２  さしこみピン、４１１  シャフト、４１２  定位面、４３１  定位穴、４３２  はめ溝、４３３  歯車組、４４１  凸出環、４４２  電気スイッチ
【図１】
0003120514.tif 000003
【図２】
0003120514.tif 000004
【図３】
0003120514.tif 000005
【図４】
0003120514.tif 000006
【図５】
0003120514.tif 000007
【図６】
0003120514.tif 000008